(57)【要約】【課題】  利用者にとって利便性が高い発券機を提供する。【解決手段】  実施形態によれば、発券機は、表示部と表示制御部とを有する。表示部は、乗車券の発券を指示する乗車券の発券キーとランドマークの表示を指示するランドマークの表示キーとを含む操作画面を表示する。表示制御部は、前記ランドマークの表示キーが指示された場合には少なくとも１つのランドマークを示す情報を前記表示部に表示し、特定のランドマークが指定された場合は指定されたランドマークに対応する駅を示す情報を表示する。【選択図】図１
2018151895.tif 000002
【特許請求の範囲】
【請求項１】
利用者が指定する駅までの乗車券を発券する発券機において、
乗車券の発券を指示する乗車券の発券キーとランドマークの表示を指示するランドマークの表示キーとを含む操作画面を表示する表示部と、
前記ランドマークの表示キーが指示された場合には少なくとも１つのランドマークを示す情報を前記表示部に表示し、特定のランドマークが指定された場合は指定されたランドマークに対応する駅を示す情報を表示する表示制御部と、
を有する発券機。
【請求項２】
前記表示制御部は、前記ランドマークを示す情報として、当該ランドマークを示す画像を含む情報を表示する、
請求項１に記載の発券機。
【請求項３】
前記ランドマークを示す画像は、当該ランドマークを撮影した写真の画像である、
請求項２に記載の発券機。
【請求項４】
前記表示制御部は、前記指定されたランドマークに対応する駅を示す情報と共に、前記指定されたランドマークで利用可能な施設利用券の発券を指示する施設利用券の発券キーを表示し、
前記施設利用券の発券キーへの指示に応じて前記指定された施設で利用可能な施設利用券を発券する発券部を有する、
請求項１乃至３の何れか１項に記載の発券機。
【請求項５】
前記施設利用券は、前記指定されたランドマークとしての施設への入場券である、
請求項４に記載の発券機。
【請求項６】
前記施設利用券は、前記指定されたランドマークまたは当該ランドマークの周辺で使用可能なクーポン券である、
請求項４に記載の発券機。
【請求項７】
前記施設利用券は、前記指定されたランドマークとしての施設における座席を指定する座席指定券を含む券である、
請求項４に記載の発券機。
【請求項８】
前記表示制御部は、特定の駅が指定された場合、指定された駅を基準に検索した少なくとも１つのランドマークを示す情報を前記表示部に表示する、
請求項１乃至７の何れか１項に記載の発券機。
【発明の詳細な説明】
【技術分野】
【０００１】
本発明の実施形態は、発券機に関する。
【背景技術】
【０００２】
従来、駅に設置される自動券売機などの発券機は、利用者の操作に応じて乗車券などを発券する。利用者は、目的地へ行くための降車駅を利用者自身で判断し、判断した降車駅までの乗車券を購入する操作を行う。しかしながら、利用者が目的地へ行くための降車駅を判断することが容易ではないこともある。例えば、不慣れな土地で鉄道を使って観光地やイベントが行われる施設へ行く利用者は、目的地がはっきりしているものの、目的地へ行くための降車駅を判断し難いことがある。また、外国人は、観光地などの目的地を写真等で認識することは容易であるが、多言語での案内を受けても、目的地への行くための降車駅を判断し難いこともある。
【先行技術文献】
【特許文献】
【０００３】
【特許文献１】特開２００２−２０８０３７号公報
【発明の概要】
【発明が解決しようとする課題】
【０００４】
上記の課題を解決するために、利用者にとって利便性が高い発券機を提供することを目的とする。
【課題を解決するための手段】
【０００５】
実施形態によれば、発券機は、表示部と表示制御部とを有する。表示部は、乗車券の発券を指示する乗車券の発券キーとランドマークの表示を指示するランドマークの表示キーとを含む操作画面を表示する。表示制御部は、前記ランドマークの表示キーが指示された場合には少なくとも１つのランドマークを示す情報を前記表示部に表示し、特定のランドマークが指定された場合は指定されたランドマークに対応する駅を示す情報を表示する。
【図面の簡単な説明】
【０００６】
【図１】図１は、実施形態に係る発券機の構成例を示すブロック図である。
【図２】図２は、実施形態に係る発券機を含む発券システムの構成例を示すブロック図である。
【図３】図３は、実施形態に係る施設データベースの構成例を示す図である。
【図４】図４は、実施形態に係る発券機が表示するメイン操作画面の表示例を示す図である。
【図５】図５は、実施形態に係る発券機が表示するランドマークの選択画面の表示例を示す図である。
【図６】図６は、実施形態に係る発券機が表示するランドマーク名の入力画面の表示例を示す図である。
【図７】図７は、実施形態に係る発券機が表示するランドマークの案内を含む発券操作画面の表示例を示す図である。
【図８】図８は、実施形態に係る発券機が表示するランドマークにおける座席指定画面の表示例を示す図である。
【図９】図９は、実施形態に係る発券機が表示する発券確認画面の表示例を示す図である。
【図１０】図１０は、実施形態に係る発券機が表示する駅名の入力画面の表示例を示す図である。
【図１１】図１１は、実施形態に係る発券機が表示する駅名に応じたランドマークの案内を含む発券操作画面の表示例を示す図である。
【図１２】図１２は、実施形態に係る発券機が表示する駅名に応じたランドマークの選択画面の表示例を示す図である。
【図１３】図１３は、実施形態に係る発券機の動作例を説明するためのフローチャートである。
【図１４】図１４は、実施形態に係る発券機の動作例を説明するためのフローチャートである。
【図１５】図１５は、実施形態に係る発券機の動作例を説明するためのフローチャートである。
【図１６】図１６は、実施形態に係る発券機の動作例を説明するためのフローチャートである。
【図１７】図１７は、実施形態に係る発券機の動作例を説明するためのフローチャートである。
【図１８】図１８は、実施形態に係る発券機の動作例を説明するためのフローチャートである。
【発明を実施するための形態】
【０００７】
以下、実施形態について図面を参照して説明する。  
次に、実施形態に係わる発券機１の構成について説明する。  
図１は、実施形態に係わる発券機（自動券売機）１の構成例を示すものである。  
発券機１は、例えば、鉄道の各駅などに設置される。発券機１は、利用者による操作に応じて、各種の券を発券する機能を有する。例えば、発券機１は、自動改札機或は精算機などの駅務器機で処理が可能な乗車券、回数券、又は特急券などの乗車券類を発券する機能を有する。また、発券機１は、ランドマーク或いはランドマーク周辺で利用できる券（施設利用券）としての入場券、クーポン券、或は、座席指定券などを発券する機能も有する。また、発券機１は、利用者が所持するＩＣカード或は携帯端末などの電子機器に乗車券あるいは施設利用券として利用できる金額情報や券情報などを書き込む機能も具備するものであっても良い。
【０００８】
図１に示す構成例において、発券機１は、制御部１０、接客用表示部１１、係員用表示部１２、運賃メモリ１３、データメモリ１４、通信部１５、カード処理部１６、紙幣処理部１７、硬貨処理部１８および発券部１９を有する。
【０００９】
制御部１０は、当該発券機１全体の制御を司るものである。制御部１０は、ＣＰＵなどのプロセッサ１０ａ、ＲＡＭ、ＲＯＭなどのメモリ１０ｂ、及び、各種のインターフェースなどを有する。プロセッサ１０ａは、プログラムを実行するＣＰＵなどである。メモリ１０ｂは、ＲＡＭ、ＲＯＭ、及び、書換え可能な不揮発性メモリ（例えば、ＥＥＰＯＲＭ、ＦＲＯＭ等）などを含む。制御部１０は、プロセッサ１０ａがメモリ１０ｂに記憶したプログラムを実行することにより種々の機能を実現する。例えば、制御部１０は、発券機１内の各部にインターフェースを介して接続され、発券機１内の各部を制御する。また、制御部１０は、プロセッサ１０ａがメモリ１０ｂに記憶したプログラムを実行することにより種々の演算処理を実行する。
【００１０】
接客用表示部（表示部）１１は、利用者に対して種々の案内などを表示する表示装置である。表示部１１は、表示画面上に操作部として機能するタッチパネル１１ａが設けられている。表示部１１は、様々な案内と共に、タッチパネル１１ａにて指示可能な種々のキーを表示する。例えば、表示部１１は、乗車料金での乗車券（金額券）を指示するための金額ボタン（乗車券の発券キー）を表示する。この場合、利用者は、金額ボタンの表示部位にタッチすることにより所望の金額の乗車券を選択する。
【００１１】
係員用表示部１２は、係員に対して種々の案内などを表示する表示装置である。係員用表示部１２は、表示画面上に操作部として機能するタッチパネル１２ａが設けられている。係員用表示部１２には、係員による操作を受付けるための種々のキーが表示され、それらのキーの表示部位をタッチすることにより係員による種々の操作を受付けるようになっている。
【００１２】
また、制御部１０は、接客用表示部１１および係員用表示部１２を制御する機能（表示制御機能）を有する。すなわち、接客用表示部１１あるいは係員用表示部１２に表示する内容は、制御部１０が制御する。また、接客用表示部１１のタッチパネル１１ａあるいは係員用表示部１２のタッチパネル１２ａへの入力は、制御部１０が検出するようになっている。制御部１０は、表示部１１に表示した表示内容とタッチパネル１１ａが利用者の接触（タッチ）を検知した位置とに基づいて利用者が指示した操作内容を認識する。
【００１３】
運賃メモリ１３は、運賃データなどを記憶する。運賃メモリ１３は、不揮発性のメモリにより構成される。運賃メモリ１３が記憶する運賃データは、当該発券機１が設置された駅を発駅として各着駅（降車駅）までの乗車料金を判断するための情報である。例えば、運賃メモリ１３は、運賃データとして、着駅の駅名（降車駅名）と乗車料金（乗車券の金額）と対応づけたデータを記憶する。また、運賃メモリ１３は、特急料金、回数券の料金、及び、他社線への乗換を含む乗換乗車券の料金などの運賃データも記憶する。制御部１０は、運賃メモリ１３に記憶されている運賃データに基づいて乗車券の料金として表示する金額を決定する。
【００１４】
データメモリ１４は、各種のデータを記憶する。データメモリ１４は、不揮発性のメモリにより構成される。例えば、データメモリ１４は、実行した処理の履歴を示す情報などを記憶する。また、データメモリ１４は、制御部１０のプロセッサ１０ａが実行するプログラムを記憶するようにしても良い。また、データメモリ１４は、ランドマーク（施設）データベース１４ａ、利用券データベース１４ｂ、多言語データベース１４ｃを有する。
【００１５】
施設データベース１４ａは、ランドマークとしての施設ごとに登録情報を記憶する。例えば、施設データベース１４ａに記憶する登録情報は、ランドマークとしての施設（又は施設で実施するイベント）ごとのランドマーク名の文字データ、ランドマークの写真データ、ランドマークに対応して発券可能な施設利用券を示す情報などを含む。施設データベース１４ａの具体的な構成例については、後で詳細に説明する。
【００１６】
利用券データベース１４ｂは、発券機１が施設利用券を発券するための情報を記憶する。利用券データベース１４ｂは、施設データベース１４ａに登録したランドマーク（施設）又はランドマーク周辺で利用可能な施設利用券に関する情報を記憶する。例えば、利用券データベース１４ｂは、ランドマークとしての施設又はランドマーク周辺の施設への入場券、或は、ランドマーク又はランドマーク周辺などで利用可能なクーポン券を発券するための情報を記憶する。また、施設サーバ２２と連携して発券する施設利用券については、施設サーバ２２へアクセスするための情報などを利用券データベース１４ｂに記憶するようにしても良い。
【００１７】
本実施形態において、発券機１は、ランドマーク又はランドマーク周辺で実施されるイベントの座席指定券を後述する施設サーバ２２が提供する座席予約システムと連携して発券（又は予約）するものする。このため、利用券データベース１４ｂは、施設サーバ２２と連携して座席指定券の発券が可能なイベントごとに座席指定券を発券するための情報（座席予約システムへアクセスするための情報等）を記憶するものとする。
【００１８】
多言語データベース１４ｃは、多言語での案内（表示）を行うための多言語のデータを記憶する。多言語データベース１４ｃは、表示する言語や文字の切替えに対応する言語データ及び文字データなどを記憶する。例えば、多言語データベース１４ｃは、対応する各言語について、駅名の表示データ、及び各種案内の表示データなどを記憶する。また。各言語での音声案内を行う場合には、多言語データベース１４ｃには、各言語の音声データなどを記憶するようにしても良い。
【００１９】
通信部１５は、上位装置と通信するための通信ユニットである。例えば、通信部１５は、ネットワークインターフェースである。本実施形態において、通信部１５は、後述する施設サーバ２２と通信するための通信ユニットとして機能する。また、通信部１５は、他の駅務機器とのデータ通信を行なうようにしても良い。
【００２０】
カード処理部１６は、カード口１６ａに接続されている。カード処理部１６は、カード口１６ａに挿入されたカードを処理し、処理済みのカードをカード口１６ａから排出する。カード処理部１６は、取り扱うカードとして記憶媒体の種類に応じた処理ユニットを有している。たとえば、非接触式のＩＣカードを取り扱う場合、カード処理部１６には、非接触式のＩＣカード（又は携帯端末）との通信を行うためのリーダライタが具備される。また、磁気情報が記憶される磁気カードを取り扱う場合、カード処理部１６には、磁気情報の読取り及び書込みを行うための磁気ヘッドなどが具備される。例えば、カード処理部１６が取り扱うカードの形態としては、たとえば、ストアードフェア（ＳＦ）カード、定期券、クレジットカードあるいは電子マネーカードなどの機能を有するカードが想定される。
【００２１】
紙幣処理部１７及び硬貨処理部１８は、現金処理部として機能する。  
紙幣処理部１７は、紙幣口１７ａに接続されている。紙幣処理部１７は、紙幣口１７ａに挿入された紙幣を処理したり、紙幣処理部１７内で処理された釣銭としての紙幣などの紙幣口１７ａより排出したりするようなっている。紙幣処理部１７は、紙幣の券種を判定したり、紙幣の真偽を検査したりする機能を有する。
【００２２】
硬貨処理部１８は、硬貨投入口１８ａおよび硬貨放出口１８ｂに接続されている。すなわち、硬貨処理部１８は、硬貨投入口１８ａに挿入された硬貨を処理したり、図示しない貯留部に貯留された硬貨を釣銭として硬貨放出口１８ｂから放出したりするようなっている。硬貨処理部１８は、投入された硬貨の種類を判定したり、硬貨を検査したり、検査済みの硬貨を図示しない貯留部に貯留したり、貯留部から制御部１０により指示された金額の硬貨を放出したりする機能を有する。
【００２３】
発券部１９は、発券口１９ａに接続されている。発券部１９は、券を発券する。発券部１９は、乗車券、回数券および特急券などの乗車券類、および、入場券、クーポン券、座席指定券などの施設利用券を発行する機能を有する。発券部１９は、例えば、ロール紙状の媒体（例えば、磁気記録媒体）から切り出した券紙に券面印刷および磁気情報の記録などを施した券を発券口１９ａから放出する。発券部１９は、制御部１０から券に印字する印字データを取得し、印字データに基づいて券面を印字した券を発券口１９ａから排出することにより発券処理を行う。なお、発券部１９は、ロール紙上の媒体を用いて券を発券するものに限定されるものではなく、他の記録媒体を用いて券を発券するものであっても良い。
【００２４】
次に、発券機１を含む発券システムについて説明する。  
図２は、実施形態に係る発券機１と発券機サーバ２１と施設サーバ２２とを含む発券システムの構成例を示す図である。  
本実施形態に係る発券システムは、各駅などに設置される複数の発券機１と発券機サーバ２１とが通信可能に接続される。また、発券機サーバ２１は、ネットワークを介して施設サーバ２２に接続される。
【００２５】
発券機サーバ２１は、各発券機１へデータを提供する機能を有する。発券機サーバ２１は、発券機１が表示部１１に表示する種々の表示データを提供する。例えば、発券機サーバ２１は、各発券機１が施設データベース１４ａに記憶する情報、利用券データベース１４ｂに記憶する情報、および、多言語データベース１４ｃに記憶する情報などを適宜発券システム内の発券機１へ配信する。発券機サーバ２１は、各発券機１に対いて任意のタイミングでデータを配信できるようにして良い。例えば、発券機サーバ２１は、発券機１に対して定期的にデータをダウンロードするようにしても良いし、発券機１からの要求に応じてデータを提供するようにしても良い。また、発券機サーバ２１は、設置駅に応じたデータを各発券機１へ配信するようにしても良い。
【００２６】
施設サーバ２２は、ランドマーク（施設）、ランドマーク周辺の施設、或は、ランドマークやランドマーク周辺でイベントなどを開催する者が運用するサーバであるものとする。本実施形態においては、施設サーバ２２は、発券機１が発券可能な施設利用券としての座席指定券を発券（又は予約）するためのシステム（座席購入システム）を運用するサーバであるものとする。なお、施設サーバ２２は、入場券、クーポン券などの施設利用券を発券するための情報を提供するサーバであってもよい。施設サーバ２２は、ネットワークを介して発券機サーバ２１と通信可能なサーバであれば良く、発券システムは、複数の施設サーバ２２を含むものであっても良い。
【００２７】
次に、施設データベース１４ａについて説明する。  
図３は、施設データベース１４ａの構成例を示す図である。  
施設データベース１４ａは、利用者に提示するランドマークに関する情報を記憶する。施設データベース１４ａに記憶する情報は、発券機サーバ２１から配信される。図３に示す例において、施設データベース１４ａは、ランドマークごとに、識別情報（ＩＤ）、ランドマーク名、画像情報（写真データ）、駅、入場券、クーポン券、指定券（座席指定券）、発券期限、および、備考などの情報を保持する。
【００２８】
ランドマーク名の情報は、ランドマークとしての施設の名称（例えば、○○ドーム、○×タワー、××大仏など）を示すテキストデータであり、操作画面等に表示する文字情報である。ランドマーク名の情報は、日本語のテキストデータだけでなく、対応する外国語でのテキストデータも保持する。図３に示す例では、日本語、英語、中国語、韓国語を例示したが、これらの言語に限定されるものではない。また、対応する外国語の言語データは、発券機サーバ２１などの外部装置から適宜ダウンロードするようにしても良い。この場合、施設データベース１４ａには、言語データのダウンロード元となる外部装置へアクセスするための情報を格納するようにしても良い。
【００２９】
画像情報は、ランドマークを示す画像として表示する画像情報である。画像情報は、例えば、ランドマークとしての施設を撮影した写真データである。また、画像情報は、ランドマークを示すイラストなどであっても良い。
【００３０】
駅の情報は、当該ランドマーク（施設）に近い駅を示す情報である。駅は、最寄りの駅であっても良いし、最寄りの駅を含む近郊の複数の駅（例えば、徒歩圏内の複数の駅）を登録しても良い。駅の情報としては、駅名などの駅を示す情報と共に、当該ランドマーク迄の距離、ランドマーク迄の徒歩での所要時間、ランドマーク迄の移動経路などの情報を登録しても良い。
【００３１】
入場券の情報は、ランドマークとしての施設又はランドマーク周辺の施設に対する入場券に関する情報である。入場券の情報は、ランドマークに対応する入場券を当該発券機１で発券が可能か否かを示す情報である。発券機１で入場券を発券可能とする場合、入場券を発券するための情報（入場券の料金、入場券の種類などの情報）は、利用券データベース１４ｂに記憶するようにして良い。
【００３２】
クーポン券の情報は、当該ランドマークに対応づけて利用者に勧めるクーポン券に関する情報である。クーポン券の情報は、当該ランドマークに対応づけたクーポン券（例えば、ランドマーク周辺の交通機関のフリーパス、各種の割引券など）を当該発券機１で発券が可能か否かを示す情報を含む。発券機１で発券可能なクーポン券がある場合、クーポン券を発券するための情報（クーポン券の内容および料金などの情報）は利用券データベース１４ｂに記憶するようにして良い。
【００３３】
指定券の情報は、当該ランドマークに関連づけられる指定券に関する情報である。指定券は、例えば、座席指定券であり、当該ランドマーク内又はランドマーク周辺で行われるイベント（例えば、映画、スポーツの試合、芝居、コンサートなど）での座席指定券が発券機１で発券（又は予約）可能か否かを示す情報である。発券機１で座席指定券が発券可能である場合、指定券を発券するための情報（例えば、座席指定（予約）を行う座席指定システム（施設サーバ）にアクセスするための情報など）は、利用券データベース１４ｂに記憶するようにしても良い。
【００３４】
発券期限は、入場券、クーポン券、および、座席指定券の発券（又は予約）が発券機１で実行可能な期限を示す情報である。例えば、施設データベース１４ａに記憶する発券期限は、当該施設の最終入場時刻、又は当該施設でのイベントの開始時間等に基づく施設利用券の利用開始期限と、当該発券機１から施設までの移動時間と、を考慮して予め設定された情報である。
【００３５】
また、施設データベース１４ａに記憶する発券期限は、当該施設の最終入場時刻、又は当該施設でのイベントの開始時間等の施設利用券の利用開始の期限を示す情報としても良い。この場合、発券機１の制御部１０は、施設利用券を発券可能な日時であるか否かを施設データベース１４ａの発券期限に基づいて都度判断するようにすれば良い。例えば、制御部１０は、データベース１４ａの発券期限と当該発券機１の設置場所（発駅）から施設までの移動時間（例えば、降車駅までの所要時間と降車駅から施設迄の移動時間と）とに基づいて施設利用券が発券可能か否かを判断するようにすれば良い。また、当該発券機１の設置場所（発駅）から施設までの移動時間は、予め施設ごとに設定しておくようにしても良いし、発駅から降車駅までの所要時間と降車駅から施設迄の徒歩による所要時間とから算出するようにしても良い。
【００３６】
備考の情報は、上記以外の当該ランドマーク又はランドマーク周辺に関する情報である。備考の情報としては、例えば、ランドマークとしての施設の営業時間、ランドマーク又はランドマーク周辺でのイベント内容を示す情報、降車駅から当該ランドマークまでの経路案内、或は、入場制限に関する情報などを記憶する。
【００３７】
次に、発券機１の表示部１１が表示する各種の表示画面について説明する。  
発券機１の制御部１０は、利用者により選択されるキーに応じて表示内容を変更する表示制御機能を有する。すなわち、発券機１の表示部１１は、利用者の操作に応じて制御部１０の表示制御機能によって変更される画面を表示する。
【００３８】
図４乃至及び図１１は、実施形態に係る発券機１の表示部１１が表示する表示画面の例を示す図である。  
図４は、発券機１の表示部１１が表示する操作画面の例である。  
発券機１は、例えば、待機状態（利用者の操作待ち状態）において、図４に示すような操作画面（メイン操作画面）を表示部１１に表示する。図４に示すメイン操作画面において、発券機１は、利用者からの乗車料金による乗車券（金額券）の発券指示を受付けるとともに、表示言語の切替およびランドマークの表示指示などを受付ける。
【００３９】
図４に示す操作画面の中央の表示領域には、乗車料金ごとの乗車券（金額券）の発券を指示する発券キー５１（５１ａ、５１ｂ、…）が表示される。各発券キー５１は、金額が表示されたアイコンである。発券機１の制御部１０は、金額の表示部位（アイコン）が利用者にタッチされたことをタッチパネル１１ａにより検知し、タッチされた金額の乗車券を発券部１９により発券する。
【００４０】
また、図４に示すメイン操作画面の上部の表示領域には、対応する言語ごとの言語キー５２（５２ａ、５２ｂ、５２ｃ）が表示される。各言語キー５２は、対応する言語の文字で言語名が表示されたアイコンである。例えば、図４に示す言語キー５２ａは、英語の表示に切り替えることを指示するキーであり、図４に示す言語キー５２ｂは、中国語の表示に切り替えることを指示するキーであり、図４に示す言語キー５２ｃは、韓国語の表示に切り替えることを指示するキーである。発券機１の制御部１０は、タッチパネル１１ａにより言語キー５２へのタッチを検知すると、表示部１１が表示する画面中の文字をタッチされた言語での表示に切り替える。
【００４１】
また、図４に示す操作画面の下部の表示領域には、ランドマーク写真キー５３、ランドマーク名キー５４、及び、駅名キー５５が表示される。ランドマーク写真キー５３は、ランドマークを示す画像（写真）を表示することを指定するキーである。ランドマークキー５３は、ランドマークの表示を指示するキー、あるいは、ランドマークの選択画面の表示を指示するキーでもある。ランドマーク名キー５４は、ランドマークを指定するためにランドマーク名を入力することを指示するキーである。駅名キー５５は、特定の駅を指定するために駅名を入力することを指示するキーである。
【００４２】
図５は、ランドマーク写真キー５３が指示された場合に表示するランドマークの選択画面の例を示す図である。  
例えば、図４に示すメイン操作画面においてランドマーク写真キー５３が指示された場合、制御部１０は、表示部１１に図５に示すようなランドマークの選択画面を表示する。図５に示す表示例では、ランドマーク写真６１（６１ａ、６１ｂ、…）、ランドマーク名６２（６２ａ、６２ｂ、…）、小写真への切替キー６３、一覧への切替キー６４、次頁キー６５、前頁キー６６および戻るキー６７などが表示部１１に表示される。
【００４３】
メイン操作画面においてランドマーク写真キー５３が指示された場合、制御部１０は、予め設定されている条件に基づいて表示対象とするランドマークを選出する。制御部１０は、表示対象として選出したランドマークについて画像情報と文字情報とを表示する。ランドマーク写真６１は、ランドマークを示す画像であり、施設データベース１４ａに登録されている画像情報に基づいて表示される。ランドマーク名６２は、ランドマーク名を示す文字情報であり、施設データベース１４ａに登録されている画像情報に基づいて表示される。ランドマーク写真６１とランドマーク名６２とは、選出されたランドマークを示す情報である。ランドマーク写真８１（８１ａ、８１ｂ、…）とランドマーク名８２（８２ａ、８２ｂ、…）とは、１セットで１つのランドマークを示す情報（ランドマークアイコン）として構成される。
【００４４】
例えば、図５に示す表示例において、ランドマーク写真６１ａとランドマーク名６２ａとは、「××牧場」という１つのランドマーク（施設）を示す情報（ランドマークアイコン）である。各ランドマークアイコンとしてのランドマーク写真６１とランドマーク名６２とのセットは、表示部１１の表示画面上に並べて表示される。このため、ランドマーク写真６１の表示サイズを小さくすれば、１つの表示画面上に多くのランドマークが表示できるものとなる。
【００４５】
ランドマーク写真６１は、施設データベース１４ａが保存する画像情報に基づく情報である。ランドマーク名６２は、施設データベース１４ａのテキストデータに基づく情報である。ランドマーク名６２は、選択中の言語に応じてテキストデータとして表示する言語（文字）が選択される。例えば、日本語が選択されている場合（デフォルト設定である場合）、制御部１０は、表示するランドマークの画像情報からランドマーク写真６１として表示する表示サイズ（例えば、標準サイズ）の表示データを生成し、表示するランドマークの日本語のテキストデータからランドマーク名６２として表示する日本語のランドマーク名の表示データを生成する。
【００４６】
切替キー６３は、表示するランドマークを示す画像（写真）を標準サイズから小サイズに切替えることを指示するキーである。制御部１０は、切替キー６３が指示されると、ランドマークの選択画面に表示するランドマーク写真のサイズを標準サイズよりも小さい小サイズに変更し、小サイズのランドマーク写真を並べて表示する。この場合、各ランドマーク写真が標準サイズよりも小さい小サイズに変更されるため、表示部１１は、多くのランドマーク写真を１つの画面上に表示できる。
【００４７】
切替キー６４は、ランドマークの一覧を表示することを指示するキーである。ここでは、ランドマークの一覧は文字で表示されるものとする。制御部１０は、切替キー６４が指示されると、ランドマークの選択画面をランドマーク名を含むランドマークの情報を一覧で表示する一覧表示画面に切替える。ただし、ランドマークの一覧にも、各ランドマークを示すイラストや写真などを表示しても良い。
【００４８】
次頁キー６５は、表示画面上に表示しきれない次頁分のランドマークアイコンの表示を指示するキーである。前頁キー６６は、表示画面上に表示しきれない前頁分のランドマークアイコンの表示を指示するキーである。次頁の表示画面にランドマークアイコンとして表示するランドマークが無い場合、次頁キー６５は表示されないようにしても良い。また、前頁の表示画面にランドマークアイコンとして表示するランドマークが無い場合、前頁キー６６は表示されないようにしても良い。戻るキー６７は、ランドマークの選択画面に遷移する直前の表示画面に戻ることを指示するキーである。ここでは、戻るキー６７は、図４に示すようなメイン操作画面（待機画面）に戻ることを指示するキーとして機能する。
【００４９】
図６は、ランドマーク名の入力画面の表示例である。  
例えば、図４に示す操作画面においてランドマーク名キー５４が指示された場合、制御部１０は、表示部１１に図６に示すようなランドマーク名の入力画面を表示する。図６に示す表示例では、ランドマーク名の入力欄７１、確定キー７２、文字キー群７３、検索キー７４、金額キー７５およびランドマーク写真キー７６が表示部１１に表示される。
【００５０】
文字キー群７３は、ランドマーク名を文字で入力するための複数のキーで構成される。例えば、言語が日本語に設定されている場合、文字キー群７３としては、図８に示すように、日本語の表示文字である五十音の各文字キーが表示される。制御部１０は、文字キー群７３で入力された文字をランドマーク名の入力欄７１に表示する。  
確定キー７２は、入力欄７１に表示されたランドマーク名を確定する場合にタッチされるキーである。制御部１０は、確定キー７２がタッチされると、入力欄７１に表示したランドマーク名を確定する。
【００５１】
検索キー７４は、ランドマークの検索を指示する場合にタッチされるキーである。制御部１０は、検索キー７４がタッチされると、入力欄７１に表示されている文字などを検索用のキーワードとしてランドマークを検索した結果を画面上に表示する。例えば、制御部１０は、ランドマークの検索結果として検出された各ランドマークの名称をランドマークの候補として表示画面上（例えば、画面の右側の領域）に一覧で表示する。このようなランドマークの候補は、ランドマークの表示部位をタッチすることにより指定できるようにして良い。この場合、指定されたランドマーク名が入力欄７１に表示されるようにすれば良い。これらの操作によって、利用者は、ランドマークの指定を行う。
【００５２】
金額キー７５は、乗車料金で発券する乗車券（金額券）を指定する画面（メイン操作画面）に移行することを指示するキーである。制御部１０は、金額キー７５が指示されると、表示部１１が表示する画面を図４に示すメイン操作画面に切替える。  
ランドマーク写真キー７６は、ランドマークの写真（画像）を表示することを指定するキーである。制御部１０は、ランドマーク写真キー７６が指示された場合、表示部１１が表示する画面を図５に示すようなランドマークの選択画面に切替える。
【００５３】
図７は、ランドマークが特定された場合における発券操作画面の表示例を示す図である。  
１つのランドマークが特定された場合、制御部１０は、表示部１１に図７に示すようなランドマークに関する案内を含む発券操作画面を表示する。例えば、図５に示すランドマークの選択画面において１つのランドマークを示す情報（ランドマークアイコン）が指定された場合、制御部１０は、指定されたランドマークに関する案内を含む図７に示すような発券操作画面を表示部１１に表示する。また、図６に示すランドマーク名の入力画面において入力されたランドマークが確定した場合、制御部１０は、表示部１１に図７に示すような発券操作画面を表示する。
【００５４】
図７に示す表示例では、ランドマーク名の表示欄８１、ランドマーク案内８２、ランドマーク写真８３、乗車券キー８４、および、指定券キー８５が表示部１１に表示されている。  
表示欄８１は、確定したランドマーク名を表示する欄である。  
ランドマーク案内８２は、確定したランドマークに関する文字による案内である。例えば、ランドマーク案内８２では、ランドマークへ行くための降車駅の案内、当該ランドマーク（施設）に関する案内、および、当該発券機１で発券可能な施設利用券（例えば、入場券、クーポン券、座席指定券など）の案内などを表示する。図７に示す例では、降車駅の案内と共に、当該ランドマーク（施設）で実施されるイベントに関する案内と当該イベントに対する座席指定券の購入案内とを表示している。これらの情報は、例えば、施設データベース１４ａの備考の情報として登録される。
【００５５】
なお、施設データベース１４ａにおいて当該ランドマークに対して複数の駅が設定されている場合、ランドマーク案内８２には、複数の駅を降車駅の候補として表示しても良い。この場合、表示した複数の駅から１つの降車駅を利用者が選択できるような選択キーを表示するようにしても良い。
【００５６】
ランドマーク画像８３は、確定したランドマークに関する画像による案内である。例えば、ランドマーク画像８３としては、施設データベース１４ａに登録されている画像情報（写真データ）を所定のサイズに変換したものを表示する。
【００５７】
乗車券キー８４は、ランドマーク案内８２に表示した降車駅までの乗車券のみの購入を指示するキーである。  
指定券キー８５は、案内８２に表示した当該施設でのイベントに対する座席指定券の購入（又は予約）を指示するキーである。制御部１０は、指定券キー８５が指示されると、案内８２で表示するイベントに対する座席指定処理を実行する。例えば、制御部１０は、指定券キー８５が指示されると、案内８２で表示するイベントに対する座席指定を行うための座席指定システム（本実施形態では、施設サーバ２２とする）へアクセスし、施設サーバ２２が提供する座席指定画面を表示部１１に表示する。
【００５８】
図８は、ランドマークでのイベントに対する座席指定券を発券するための座席指定画面の表示例を示す図である。  
例えば、図７に示す操作画面において指定券キー８５が指示された場合、制御部１０は、施設サーバ２２にアクセスし、表示部１１に図８に示すような座席指定画面を表示する。ここでは、発券機１における座席指定は、施設サーバ２２が提供する座席指定システムにより実現されるものとする。従って、制御部１０は、施設サーバ２２から図８に示すような座席指定画面を取得し、表示部１１に表示する。
【００５９】
図８に示す表示例では、座席指定画面９１、座席数の表示欄９２、および、決定ボタン９３などが表示部１１に表示されている。  
座席指定画面９１は、購入（予約）する座席を指示するための座席表、および、指定した座席を表示する表示欄などを含む。図８に示す表示例では、座席指定画面９１において、「Ｂ−２」と「Ｂ−３」との２席が指定された状態であることを示している。また、座席数の表示欄９２には、指定した座席数が表示される。決定ボタン９３は、座席指定画面１１１において座席指定の決定を指示するキーである。制御部１０は、決定ボタン９３が指示されると、施設サーバ２２から座席指定の結果を取得する。座席指定が確定すると、制御部１０は、施設サーバ２２からの座席指定の結果に基づいて料金決済を含む発券処理へ進む。
【００６０】
図９は、座席指定を含む発券確認画面の表示例を示す図である。  
例えば、図８に示す座席指定画面において決定キー９３が指示された場合、制御部１０は、座席指定を確定し、図９に示すような発券確認画面を表示する。図９に示す表示例では、ランドマーク名の表示欄８１、発券内容の案内１０１、ランドマーク画像８３、および、購入キー１０２が表示部１１に表示されている。
【００６１】
発券内容の案内１０１は、発券内容を示す案内である。発券内容の案内１０１では、降車駅、発券数、発券する券、および、発券する券の金額などの案内を表示する。図９に示す例では、降車駅名と、発券数、乗車券の金額、座席指定券の金額、及び、合計金額を表示している。また、案内１０１としては、イベントの開始時間及び入場時間などのイベントや施設に関する案内などを表示しても良い。
【００６２】
購入キー１０２は、案内１０１に表示した発券内容での発券を指示するキーである。制御部１０は、購入キー１０２が指示されると、案内１０１で表示した金額の決済と各券の発券とを含む発券処理を実行する。  
なお、図９に示すような発券確認画面では、乗車券の発券のキャンセルを指示するキー、又は、座席指定券の発券のキャンセルを指示するキーなどを表示しても良い。例えば、乗車券の発券のキャンセルが指示された場合、制御部１０は、乗車券の発券をキャンセルし、座席指定券のみの発券を行うようにしても良い。
【００６３】
図１０は、駅名の入力画面の表示例である。  
例えば、図４に示す操作画面において駅名キー５５が指示された場合、制御部１０は、表示部１１に図１０に示すような駅名の入力画面を表示する。図１０に示す表示例では、駅名の入力欄１１１、確定キー１１２、文字キー群１１３、検索キー１１４、ランドマーク写真キー１１５、ランドマーク名キー１１６、および金額キー１１７が表示部１１に表示される。
【００６４】
文字キー群１１３は、駅名を文字で入力するための複数のキーで構成される。例えば、言語が日本語に設定されている場合、文字キー群１１３としては、図１０に示すように、五十音の各文字キーが表示される。制御部１０は、文字キー群１１３で入力された文字を駅名の入力欄１１１に表示する。  
確定キー１１２は、入力欄１１１に表示された駅名を確定する場合にタッチされるキーである。制御部１０は、確定キー１１２がタッチされると、入力欄１１１に表示した駅名を確定する。  
検索キー１１４は、駅名の検索を指示する場合にタッチされるキーである。制御部１０は、検索キー１１４がタッチされると、入力欄１１１に表示された文字などを検索用のキーワードとして駅名を検索した結果を表示する。これらの操作によって、利用者は、駅名を入力及び確定する。
【００６５】
ランドマーク写真キー１１５は、ランドマークの選択画面に移行することを指示するキーである。制御部１０は、ランドマーク写真キー１１５が入力されると、表示部１１が表示する画面を図５に示すランドマークの選択画面に切替える。  
ランドマーク名キー１１６は、ランドマーク名の入力画面に移行することを指示するキーである。制御部１０は、ランドマーク名キー１１６が入力されると、表示部１１が表示する画面を図６に示すランドマーク名の入力画面に切替える。  
金額キー１１７は、乗車券の金額を指定する画面（メイン操作画面）に移行することを指示するキーである。制御部１０は、金額キー１１５が入力されると、表示部１１が表示する画面を図４に示すメイン操作画面に切替える。
【００６６】
図１１は、駅名が特定された場合における発券操作画面の表示例を示す図である。  
たとえば、図１０に示す駅名の入力画面において確定キー１１２が指示された場合、制御部１０は、表示部１１に図１１に示すような発券操作画面を表示する。図１１に示す表示例では、駅名の表示欄１２１、ランドマーク案内１２２、乗車券キー１２３、入場券キー１２４、クーポンキー１２５、ランドマーク一覧キー１２６、および、ランドマーク写真キー１２７などが表示部１１に表示される。
【００６７】
表示欄１２１は、確定した駅名を表示する欄である。ランドマーク案内１２２は、確定した駅に対応して選出した１つのランドマークの案内である。例えば、ランドマーク案内１２２では、お勧めするランドマークと共に、当該発券機１で発券可能な施設利用券（例えば、入場券、クーポン券、座席指定券など）の購入案内を表示する。
【００６８】
乗車券キー１２３は、表示欄１２１に表示した駅まで乗車券のみの購入を指示するキーである。入場券キー１２４は、表示欄１２１に表示した駅までの乗車券と、ランドマーク案内７２に表示したランドマークとしての施設への入場券との購入を指示するキーである。制御部１０は、入場券キー１２４が指示されると、乗車券と入場券との発券処理を実行する。
【００６９】
クーポンキー１２５は、駅までの乗車券以外にも利用可能なクーポン券（切符）の発券を指示するキーである。制御部１０は、クーポンキー１２５が指示されると、乗車券と入場券とクーポン券と含むクーポン切符の発券処理を実行する。  
なお、発券操作画面には、施設利用券（入場券、クーポン券、座席指定券など）のみの発券を指示するキーを設けても良い。
【００７０】
また、図１１に示す操作画面の表示例においては、他のランドマークの表示を指示するためのボタンとして、ランドマーク一覧キー１２６およびランドマーク写真キー１２７が表示部１１に表示される。  
ランドマーク一覧キー１２６は、ランドマークの一覧を表示することを指示するキーである。制御部１０は、ランドマーク一覧キー１２６が指示されると、当該駅に対応づけて登録されているランドマークの一覧を表示する。ここでは、ランドマーク一覧キー１２６の指示に応じて表示する一覧は、ランドマークの文字情報を一覧形式して表示するものとする。
【００７１】
また、ランドマーク写真キー１２７は、当該駅に対応づけられているランドマークの写真を表示することを指示するキーである。制御部１０は、ランドマーク写真キー１２７が指示されると、当該駅に対応づけて登録されているランドマークを選出し、選出したランドマークの写真のサイズを所定の標準サイズとし、標準サイズのランドマーク写真を表示画面に表示する。
【００７２】
図１２は、駅名が特定された場合におけるランドマークの選択画面の表示例を示す図である。  
例えば、図１１に示す操作画面においてランドマーク写真キー１２７が指示された場合、制御部１０は、表示部１１に図１２に示すようなランドマークの選択画面を表示する。図１２に示す表示例では、駅名の表示欄１２１、ランドマーク写真１３１、ランドマーク名１３２、小写真への切替キー１３３、一覧への切替キー１３４、次頁キー１３５、前頁キー１３６、および、戻るキー１３７などが表示部１１に表示される。
【００７３】
ランドマーク写真１３１（１３１ａ、１３１ｂ、…）とランドマーク名１３２（１３２ａ、１３２ｂ、…）とは、１セットで１つのランドマークを示す情報（ランドマークアイコン）として構成される。ランドマーク写真１３１とランドマーク名１３２とは、図５に示すランドマークアイコンと同様に、１セットで１つのランドマークを示す情報（ランドマークアイコン）として構成される。すなわち、ランドマーク写真１３１は、施設データベース１４ａの画像情報に基づいて表示され、ランドマーク名１３２は、施設データベース１４ａのテキストデータに基づいて表示される。
【００７４】
切替キー１３３は、切替キー６３と同様に、表示するランドマークの写真を小サイズの写真に切替えることを指示するキーである。切替キー１３４は、切替キー６４と同様に、ランドマークを一覧表示することを指示するキーである。次頁キー１３５は、次頁キー６５と同様に、表示画面上に表示しきれない次頁分のランドマークアイコンの表示を指示するキーである。前頁キー１３６は、前頁キー６６と同様に、表示画面上に表示しきれない前頁分のランドマークアイコンの表示を指示するキーである。戻るキー１３７は、戻るキー６７と同様に、ランドマークの選択画面に遷移する前の表示画面に戻ることを指示するキーである。
【００７５】
次に、発券機１の動作について説明する。  
図１３乃至図１７は、実施形態に係る発券機１の動作例を説明するためのフローチャートである。  
図１３は、主にメイン操作画面を表示部１１が表示した状態における処理の流れを説明するためのフローチャートである。
【００７６】
図１３に示すように、待機状態において、制御部１０は、デフォルト設定の言語でメイン操作画面を表示部１１に表示する（Ｓ１１）。ここでは、制御部１０は、図４に示すように、タッチパネル１１ａにて選択可能な発券キー５１、言語キー５２、ランドマーク写真キー５３、ランドマーク名キー５４および駅名キー５５などのキーを含むメイン操作画面を表示部１１に表示するものとする。制御部１０は、操作画面における各キーへの利用者のタッチ（指示）をタッチパネル１１ａにより検知し、タッチが検知されたキーに応じた処理を実行する。
【００７７】
メイン操作画面において言語キー５２へのタッチ（指示）を検知した場合（Ｓ１２、ＹＥＳ）、制御部１０は、表示部１１に表示する操作画面中の文字情報を選択された言語キーに応じた言語に切り替える（Ｓ１３）。例えば、「Ｅｎｇｌｉｓｈ」と表示された言語キー５２ａが指示された場合、制御部１０は、操作画面における文字情報を英語の表記に切り替える。
【００７８】
なお、本実施形態においては、メイン操作画面において表示言語を指定できるものとして説明するが、表示部１１が表示する文字情報の言語は、任意のタイミングで切替えられるようにしても良い。例えば、表示言語を指定する言語キー５２は、表示部１１が表示する各画面において表示しても良く、制御部１０は、言語キー５２への入力に応じて表示する言語を切り替えるようにすれば良い。
【００７９】
また、制御部１０は、メイン操作画面において発券キー５１へのタッチ（指示）を検知した場合（Ｓ１４、ＹＥＳ）、タッチされた発券キー５１に対応する乗車券（金額券）の発券処理を行う（Ｓ１５）。例えば、制御部１０は、乗車券の発券内容の案内画面を表示部１１に表示するとともに、現金処理部１７、１８又はカード処理部１６による乗車券の料金の決済および発券部１９による乗車券の発券を含む発券処理を実行する。
【００８０】
また、制御部１０は、メイン操作画面においてランドマーク写真キー５３へのタッチ（指示）を検知した場合（Ｓ１６、ＹＥＳ）、図１４に示すＳ２１へ進み、写真などの画像を含むランドマークの選択画面を表示部１１に表示する処理に遷移する。
【００８１】
また、制御部１０は、メイン操作画面においてランドマーク名キー５４へのタッチ（指示）を検知した場合（Ｓ１７、ＹＥＳ）、図１５に示すＳ４１へ進み、ランドマーク名を入力するためのランドマーク名の入力画面を表示部１１に表示する処理に遷移する。
【００８２】
また、制御部１０は、メイン操作画面において駅名キー５５へのタッチ（指示）を検知した場合（Ｓ１８、ＹＥＳ）、図１６に示すＳ５１へ進み、駅名を入力するための駅名入力画面を表示部１１に表示する処理に遷移する。
【００８３】
次に、ランドマークの選択画面を表示する処理について説明する。  
図１４は、主に発券機１の表示部１１にランドマークの選択画面を表示した状態における処理の流れを説明するためのフローチャートである。例えば、図１４に示す処理は、メイン操作画面におけるランドマーク写真キー５３がタッチされた場合に実行される処理である。
【００８４】
ランドマーク写真キー５３がタッチされると、制御部１０は、ランドマークの選択画面において表示対象とするランドマークを選出する（Ｓ２１）。制御部１０は、設定された条件に基づいて施設データベース１４ａに登録されているランドマークから表示対象とするランドマークを選出する。また、制御部１０は、表示対象とするランドマークを選出すると共に、選択画面におけるランドマークの表示順序を決定する。
【００８５】
例えば、特定の条件が指定されていない場合、制御部１０は、予め設定された条件（デフォルト設定）に基づいて表示対象とするランドマークを選出し、選出したランドマークに対する表示順序を決定する。また、駅名等の条件が指定されている場合、制御部１０は、指定された条件を含む条件に基づいて表示対象とするランドマークと各ランドマークの表示順序とを決定する。
【００８６】
ランドマークを選出すると、制御部１０は、選出したランドマークを表示するランドマークの選択画面を表示する（Ｓ２２）。ここでは、制御部１０は、図５に示すようなランドマークの選択画面を表示部１１に表示するものとする。図５に示す例では、ランドマーク写真（画像）６１とランドマーク名６２とを含むアイコン（ランドマークアイコン）を４つ並べて表示すると共に、切替キー６３、切替キー６４、次頁キー６５、前頁キー６６および戻るキー６７を表示する。ランドマークの選択画面を表示した状態において、制御部１０は、各ラインマークアイコンおよび各キーへの利用者のタッチ（指示）をタッチパネル１１ａにより検出する。
【００８７】
ランドマークの選択画面においてランドマーク写真６１又はランドマーク名６２の表示部位（ランドマークアイコン）へのタッチ（指示）を検知した場合（Ｓ２３、ＹＥＳ）、制御部１０は、タッチされた部位に対応するランドマークを利用者が指定したランドマークとして確定する。１つのランドマークを確定すると、制御部１０は、図１７に示すＳ７１へ進み、タッチされたランドマークに関する情報を表示する処理に遷移する。ランドマークに関する情報を表示する処理については、後述する。
【００８８】
ランドマークの選択画面において切替キー６３又は切替キー６４へのタッチを検知した場合（Ｓ２３、ＹＥＳ）、制御部１０は、タッチされた切替キーに従って表示内容を切り替える（Ｓ２５）。  
例えば、切替キー６４がタッチされた場合、制御部１０は、表示対象として選出したランドマークをリストアップしたランドマークの一覧を生成して表示部１１に表示する。
【００８９】
また、切替キー６３がタッチされた場合、制御部１０は、ランドマークの選択画面に表示するランドマーク写真のサイズを標準サイズよりも小さい小サイズに変更し、ランドマーク名も小サイズのランドマーク写真に応じたサイズに変更する。この場合、ランドマーク写真とランドマーク名とからなる各ランドマークアイコンのサイズが小さくなるため、１つの選択画面上に多くのランドマークの写真（ランドマークアイコン）を表示できる。すなわち、制御部１０は、切替キー６３がタッチされた場合、各ランドマーク写真を含むランドマークアイコンを小サイズに変換して小サイズのランドマークアイコンを選択画面上に並べたランドマークの選択画面を表示部１１に表示する。
【００９０】
ランドマークの選択画面において次頁キー６５へのタッチを検知した場合（Ｓ２６、ＹＥＳ）、制御部１０は、表示中のランドマークに対して表示順序が次のランドマークの候補をランドマークアイコンとして表示するランドマークの選択画面に更新する（Ｓ２７）。また、表示したランドマークよりも表示順序が後のランドマークの候補がない場合（つまり、次頁が無い場合）、制御部１０は、次頁キー６５を表示しないようにする。また、次頁が無い場合、制御部１０は、次頁キー６５を選択不可の表示状態としても良い。
【００９１】
また、ランドマークの選択画面において前頁キー６６へのタッチを検知した場合（Ｓ２８、ＹＥＳ）、制御部１０は、表示中のランドマークに対して表示順序が前のランドマークの候補をランドマークアイコンとして表示するランドマークの選択画面を表示する（Ｓ２９）。また、表示したランドマークよりも表示順序が前のランドマークの候補がない場合（つまり、前頁が無い場合）、制御部１０は、前頁キー６６を表示しないようにする。また、前頁が無い場合、制御部１０は、前頁キー６６を選択不可の表示状態としても良い。
【００９２】
また、ランドマークの選択画面において戻るキー６７へのタッチを検知した場合（Ｓ３０、ＹＥＳ）、制御部１０は、ランドマークの選択画面を終了し、表示部１１が表示する表示画面をランドマークの選択画面を表示する直前に表示していた画面に戻す（Ｓ３１）。例えば、メイン操作画面のランドマーク写真キー５３へのタッチに応じてランドマークの選択画面を表示していた場合、制御部１０は、戻るキー６７へのタッチに応じて表示部１１が表示する画面をメイン操作画面に更新する。
【００９３】
次に、ランドマーク名を入力するためのランドマーク名の入力画面を表示する処理について説明する。  
図１５は、ランドマーク名の入力画面を表示する処理を説明する処理の流れを説明するためのフローチャートである。ここでは、メイン操作画面においてランドマーク名キー５４がタッチされた場合に、図１５に示す処理が実行されるものとして説明するものとする。
【００９４】
すなわち、ランドマーク名キー５４がタッチされると、制御部１０は、ランドマーク名の入力画面を表示部１１に表示する（Ｓ４１）。ここでは、制御部１０は、図６に示すようなランドマーク名の入力画面を表示部１１に表示するものとする。図６に示す例では、ランドマーク名の入力欄７１、確定キー７２、文字キー群７３、検索キー７４、金額キー７５、および、ランドマーク写真キー７６を表示する。
【００９５】
文字キー群７３を構成する各キー（文字キー）への入力を検知するごとに、制御部１０は、入力された文字キーに応じた文字をランドマーク名の入力欄７１に表示する（Ｓ４２）。また、制御部１０は、ランドマーク名の入力画面において表示する各キーへのタッチ（指示）を検知し、タッチされたキーに応じた処理を行う。
【００９６】
ランドマーク名の入力画面において検索キー７４へのタッチを検知した場合（Ｓ４３、ＹＥＳ）、制御部１０は、入力欄７１に表示されている文字（利用者が入力した文字）をキーワードとしてランドマークの候補を検索する（Ｓ４４）。制御部１０は、検索結果として選出したランドマークの候補をタッチパネル１１ａにて選択可能な状態でランドマーク名の入力画面上に表示する（Ｓ４５）。
【００９７】
ランドマーク名の入力画面上にランドマークの候補を表示した状態において、制御部１０は、検索結果として表示するランドマークの候補から１つのランドマークがタッチされた場合、タッチされたランドマークの名称を入力欄７１に表示させる。  
なお、制御部１０は、検索キー７４への指示がなくても、文字が入力されるごとに入力された文字をキーワードとしてランドマークの候補を検索し、その検索結果を表示するようにしても良い。
【００９８】
また、ランドマーク名の入力画面においてランドマーク写真キー７６へのタッチを検知した場合（Ｓ４６、ＹＥＳ）、制御部１０は、図１４のＳ２１へ進み、表示部１１が表示する画面をランドマーク名の入力画面から図５に示すようなランドマークの選択画面に切替える。なお、制御部１０は、入力欄７１に文字が表示された状態であった場合、入力欄７１に表示されていた文字をキーワードとして表示対象のランドマークを選出するようにしても良い。
【００９９】
また、ランドマーク名の入力画面において金額キー７５へのタッチを検知した場合（Ｓ４７、ＹＥＳ）、制御部１０は、図１３のＳ１１へ進み、表示部１１が表示する画面をランドマーク名の入力画面から図４に示すようなメイン操作画面（金額券の選択画面）に切替える。  
確定キー７２がタッチ（指示）された場合（Ｓ４８、ＹＥＳ）、制御部１０は、特定のランドマーク名が入力欄７１に表示された状態であれば、入力欄７１に表示している名称のランドマークを確定し、図１７に示すＳ７１へ進む。なお、ランドマーク名の入力画面において、確定キー７２は、特定のランドマーク名が入力欄７１に表示されるまで選択不可な状態としても良い。
【０１００】
次に、駅名を入力するための駅名の入力画面を表示する処理について説明する。  
図１６は、駅名の入力画面を表示する処理の流れを説明するためのフローチャートである。ここでは、メイン操作画面において駅名キー５６がタッチされた場合に、図１６に示す処理が実行されるものとして説明するものとする。
【０１０１】
すなわち、駅名キー５６がタッチされると、制御部１０は、駅名の入力画面を表示部１１に表示する（Ｓ５１）。ここでは、制御部１０は、図１０に示すような駅名の入力画面を表示部１１に表示するものとする。図１０に示す例では、駅名の入力欄１１１、確定キー１１２、文字キー群１１３、検索キー１１４、金額キー１１５、ランドマーク名キー１１６、および、ランドマーク写真キー１１７を表示する。
【０１０２】
文字キー群１１３を構成する各キー（文字キー）への入力を検知するごとに、制御部１０は、入力された文字キーに応じた文字を駅名の入力欄１１１に表示する（Ｓ５２）。また、制御部１０は、駅名の入力画面において表示する各キーへのタッチ（指示）を検知し、タッチされたキーに応じた処理を行う。
【０１０３】
駅名の入力画面において検索キー１１４へのタッチを検知した場合（Ｓ５３、ＹＥＳ）、制御部１０は、入力欄１１１に表示されている文字（利用者が入力した文字）をキーワードとして駅名の候補を検索する（Ｓ５４）。制御部１０は、検索結果として選出した駅名の候補をタッチパネル１１ａにて選択可能な状態で駅名の入力画面上に表示する（Ｓ５５）。
【０１０４】
駅名の入力画面上に駅名の候補を表示した状態において、制御部１０は、検索結果として表示する駅名の候補から１つの駅名がタッチされた場合、タッチされた駅名の名称を入力欄１１１に表示させる。なお、制御部１０は、検索キー１１４への指示がなくても、文字が入力されるごとに入力された文字をキーワードとして駅名の候補を検索し、その検索結果を表示するようにしても良い。
【０１０５】
駅名の入力画面においてランドマーク写真キー１１７へのタッチを検知した場合（Ｓ５６、ＹＥＳ）、制御部１０は、図１４のＳ２１へ進み、表示部１１が表示する画面をランドマークの入力画面から図５に示すようなランドマークの選択画面に切替える。
【０１０６】
駅名の入力画面においてランドマーク名キー１１６へのタッチを検知した場合（Ｓ５７、ＹＥＳ）、制御部１０は、図１５のＳ４１へ進み、表示部１１が表示する画面を駅名の入力画面から図６に示すようなランドマーク名の入力画面に切替える。
【０１０７】
駅名の入力画面において金額キー１１５へのタッチを検知した場合（Ｓ５８、ＹＥＳ）、制御部１０は、図１３のＳ１１へ進み、表示部１１が表示する画面を駅名の入力画面から図４に示すようなメイン操作画面（金額券の選択画面）に切替える。  
駅名の入力画面において確定キー１１２がタッチ（指示）された場合（Ｓ５９、ＹＥＳ）、制御部１０は、特定の駅名が入力欄１１１に表示された状態であれば、入力欄１１１に表示している駅名を確定し、図１７に示すＳ６１へ進む。なお、駅名の入力画面における確定キー１１２は、特定の駅名が入力欄１１１に表示されるまで選択不可な状態としても良い。
【０１０８】
次に、特定の駅名が確定した場合の発券操作画面を表示する処理について説明する。  
図１７は、本実施形態に係る発券機１における駅名が確定している場合の発券操作画面を表示する処理を説明するためのフローチャートである。ここでは、駅名の入力画面において確定キー１１２がタッチされた場合に、図１７に示す処理が実行されるものとして説明するものとする。
【０１０９】
駅名が確定すると、制御部１０は、確定した駅名に対応するお勧めランドマークを選出する（Ｓ６１）。例えば、駅毎のお勧めのランドマークをデータメモリ１４又は発券機サーバ２１が記憶しておき、制御部１０は、駅名に対応するお勧めのランドマークを選出するようにしても良い。また、駅毎にランドマークの検索履歴などの情報を記憶しておき、制御部１０は、特定された駅で検索履歴が最も多いランドマークをお勧めのランドマークと判断するようにしても良い。
【０１１０】
確定した駅に対応するランドマークを選出すると、制御部１０は、当該ランドマークに関する登録情報を施設データベース１４ａから読み込む（Ｓ６２）。ランドマークに関する登録情報を読み込むと、制御部１０は、読込んだ登録情報に応じた発券操作画面を作成し（Ｓ６３）、作成した発券操作画面を表示部１１に表示する（Ｓ６４）。制御部１０は、発券操作画面として、確定した駅までの乗車券キー、選出したランドマークの案内、および発券可能な施設利用券の発券キーを含む発券操作画面を作成する。
【０１１１】
例えば、入場券とクーポン切符とが発券可能である場合、制御部１０は、当該駅までの乗車券の発券キーおよびランドマークの案内と共に、入場券の発券を指示する入場券キーとクーポン切符の発券を指示するクーポン切符キーとを含む発券操作画面を表示する。ここでは、制御部１０は、図１１に示すような発券操作画面を表示部１１に表示するものとする。図１１に示す例では、駅名の表示欄１２１、ランドマーク案内１２２、乗車券キー１２３、入場券キー１２４、クーポン切符キー１２５、ランドマーク一覧キー１２６、および、ランドマーク写真キー１２７などが表示される。
【０１１２】
発券操作画面を表示すると、制御部１０は、発券操作画面上に表示した各キーへのタッチ（指示）をタッチパネル１１ａにより検知する。発券操作画面において何れかの発券キー（例えば、乗車券キー１２３、入場券キー１２４或いはクーポン切符キー１２５）へのタッチを検知した場合（Ｓ６５、ＹＥＳ）、制御部１０は、図１８のＳ７４（又はＳ７６、Ｓ７８、Ｓ８０）へ進み、指示された発券キーに応じた券の発券処理を実行する。
【０１１３】
また、発券操作画面において他のランドマークの表示を指示するキー（例えば、ランドマーク一覧キー１２６又はランドマーク写真キー１２７）へのタッチを検知した場合（Ｓ６６、ＹＥＳ）、制御部１０は、ランドマークの検索条件として確定している駅を設定し（Ｓ６７）、図１４のＳ２１へ進み、当該駅に対応して表示対象となる他のランドマークを表示および選択するためのランドマークの選択画面を表示する処理を実行する。
【０１１４】
次に、特定のランドマークが確定した場合の発券操作画面を表示する処理について説明する。  
図１８は、ランドマークが確定している場合の発券操作画面を表示する処理を説明するためのフローチャートである。ここでは、ランドマークの選択画面において１つのランドマークアイコンがタッチされた場合、或は、ランドマーク名の入力画面において確定キー１１２がタッチされた場合に、図１８に示す処理が実行されるものとして説明するものとする。
【０１１５】
ランドマークが確定すると、制御部１０は、当該ランドマークに関する登録情報を施設データベース１４ａから読み込む（Ｓ７１）。ランドマークに関する登録情報を読み込むと、制御部１０は、読込んだ登録情報に応じた発券操作画面を作成し（Ｓ７２）、作成した発券操作画面を表示部１１に表示する（Ｓ７３）。制御部１０は、発券操作画面として、確定したランドマークに関する情報（ランドマーク名、降車駅、ランドマークの案内、ランドマーク写真（画像）など）と、降車駅までの乗車券を発券する乗車券キーと、発券可能な施設利用券の発券キーとを含む発券操作画面を作成する。
【０１１６】
例えば、施設利用券として指定券が発券可能である場合、制御部１０は、ランドマークに関する情報と、降車駅までの乗車券のみの発券を指示する乗車券キーと、指定券の発券処理を行うための指定券キーとを含む発券操作画面を表示部１１に表示する。また、制御部１０は、施設利用券として入場券が発券可能であれば発券操作画面に入場券キー（例えば図１１の入場券キー１２４）を表示させ、施設利用券としてクーポン券が発券可能であれば発券操作画面にクーポン券キー（例えば図１１のクーポンキー１２５）を表示させる。図７に示す例は、施設利用券として指定券が発券可能である場合の発券操作画面の表示例であり、ランドマーク名の表示欄８１、ランドマークの案内（文字による案内）８２、ランドマークの写真（画像）８３、乗車券キー８４および指定券キー８５などが表示部１１に表示されている。
【０１１７】
ランドマークが指定された状態での発券操作画面を表示部１１に表示した状態において、制御部１０は、発券操作画面上に表示した各キーへのタッチ（指示）をタッチパネル１１ａにより検知する。発券操作画面において何れかの発券キーへのタッチを検知した場合（Ｓ７４、Ｓ７６、Ｓ７８又はＳ８０のＹＥＳ）、制御部１０は、指示された発券キーに応じた発券処理を実行する。
【０１１８】
発券操作画面において乗車券キーへのタッチを検知した場合（Ｓ７４、ＹＥＳ）、制御部１０は、乗車券のみの発券が指示されたものと判断し、乗車券の発券処理を実行する（Ｓ７５）。  
また、発券操作画面において入場券キーへのタッチを検知した場合（Ｓ７６、ＹＥＳ）、制御部１０は、乗車券と入場券（ランドマークとしての施設の入場券）との発券が指示されたものと判断する。制御部１０は、利用券データベース１４ｂにより入場券を発券するための情報を読み込んで、乗車券の発券処理と入場券の発券処理とを実行する（Ｓ７７）。
【０１１９】
なお、入場券が施設サーバ２２にアクセスして発券する券である場合、制御部１０は、利用券データベース１４ｂの情報に基づいて施設サーバ２２へアクセスし、入場券の発券処理を実行する。また、本実施形態では、乗車券と入場券とを発券するものして説明するが、発券機１は、入場券のみの発券をできるようにしても良い。
【０１２０】
また、発券操作画面においてクーポンキーへのタッチを検知した場合（Ｓ７８、ＹＥＳ）、制御部１０は、乗車券とクーポン券（例えば、入場券と乗り物の乗り放題券）との発券が指示されたものと判断する。制御部１０は、利用券データベース１４ｂによりクーポン券を発券するための情報を読み込み、乗車券の発券処理とクーポン券の発券処理とを実行する（Ｓ７９）。
【０１２１】
なお、クーポン券が施設サーバ２２にアクセスして発券する券である場合、制御部１０は、利用券データベース１４ｂの情報に基づいて施設サーバ２２へアクセスし、クーポン券の発券処理を実行する。また、本実施形態では、乗車券とクーポン券とを発券するものして説明するが、発券機１は、クーポン券のみの発券をできるようにしても良い。
【０１２２】
また、発券操作画面において指定券キーへのタッチを検知した場合（Ｓ８０、ＹＥＳ）、制御部１０は、乗車券と指定券（例えば、座席指定券）との発券が指示されたものと判断する。制御部１０は、利用券データベース１４ｂにより指定券を発券するための情報を読み込み、乗車券の発券処理と指定券の発券処理とを実行する（Ｓ８１−Ｓ８３）。本実施形態では、指定券としての座席指定券が施設サーバ２２にアクセスして発券する券であるものとして説明する。この場合、制御部１０は、利用券データベース１４ｂの情報に基づいて施設サーバ２２へアクセスし、施設サーバ２２が提供する座席指定処理を含む座席指定券の発券（又は予約）処理を実行する。
【０１２３】
すなわち、指定券キー８５がタッチされると、制御部１０は、施設サーバ２２へアクセスして座席指定の購入（予約）処理を実行する（Ｓ８１）。例えば、座席指定処理において、制御部１０は、施設サーバ２２から図８に示すような座席指定画面を取得し、施設サーバ２２から取得した座席指定画面を表示部１１に表示する。制御部１０は、表示部１１に表示した座席指定画面９１における座席指定の入力を受付け、決定キー９３への指示に応じて利用者が入力した座席指定の購入(予約)を施設サーバ２２へ要求する。制御部１０は、施設サーバ２２から座席指定が確定した旨の通知を受けると（Ｓ８２、ＹＥＳ）、乗車券と指定券との発券確認画面を表示部１１に表示し、乗車券および指定券の発券処理を実行する（Ｓ８３）。また、座席指定が確定できなかった場合（Ｓ８２、ＮＯ）、制御部１０は、他の発券キーへの入力または座席指定処理のリトライを受付ける。
【０１２４】
また、発券操作画面または発券確認画面を表示した状態において図示しないキャンセルボタンが利用者によって指示された場合（Ｓ８４、ＹＥＳ）、制御部１０は、一連の発券処理を終了する。
【０１２５】
以上のように、本実施形態に係る発券機は、乗車券の発券を指示する乗車券の発券キーとランドマークの表示を指示するランドマークの表示キーとを含む操作画面を表示し、ランドマークの表示キーが指示された場合にはランドマークを示す情報を表示し、特定のランドマークが指定された場合にはランドマークに対応する駅を示す情報を表示する。  
これにより、目的地のランドマークへ行くための降車駅が不明な利用者が、ランドマークを指定することでランドマークに行くための駅を認識できる。この結果、外国人や観光客などの乗車券の購入が不慣れな人物であっても、ランドマークを指定して降車駅を認識して乗車券を購入できる。
【０１２６】
さらに、本実施形態に係る発券機は、ランドマークの表示が指示された場合、ランドマークを示す情報としてランドマークを示す写真などの画像をランドマークの選択画面に表示する。これにより、利用者は、目的地とするランドマークを画像で直観的に認識することができる。この結果として、ランドマークの名称が分からない利用者や文字が読めない利用者であっても、目的地とするランドマークを簡単に指定でき、目的地へ行くための駅までの乗車券を容易に購入できる。
【０１２７】
さらに、本実施形態に係る発券機は、指定されたランドマークに対応する駅を示す情報と共に、指定されたランドマークとしての施設あるいは当該ランドマークの周囲の施設で利用可能な施設利用券（入場券、クーポン券、座席指定券など）の発券を指示する施設利用券の発券キーを表示し、施設利用券の発券キーが指示された場合には発券が指示された施設利用券を発券する。  
これにより、利用者は、目的地とするランドマーク又はランドマーク周辺の施設で利用可能な券を乗車券と共に購入することができる。この結果、利用者は目的地の施設へ行ってから施設利用券を購入する手間が省け、鉄道等の発券機の運用者は施設利用券を乗車券と共に発券することで利益を得ることができる。
【０１２８】
さらに、本実施形態に係る発券機は、特定の駅が指定された場合、指定された駅を基準に検索した少なくとも１つのランドマークを示す情報を表示する。これにより、利用者は、駅名に基づいて検索されるランドマークに関する情報を確認することができる。
【０１２９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１３０】
１…発券機、１０…制御部（表示制御部）、１０ａ…プロセッサ、１０ｂ…メモリ、１１…接客用表示部（表示部）、１１ａ…タッチパネル（操作部）、１４…データメモリ、１４ａ…施設データベース、１５…通信部、１９…発券部、２２…施設サーバ。
【図１】
2018151895.tif 000003
【図２】
2018151895.tif 000004
【図３】
2018151895.tif 000005
【図４】
2018151895.tif 000006
【図５】
2018151895.tif 000007
【図６】
2018151895.tif 000008
【図７】
2018151895.tif 000009
【図８】
2018151895.tif 000010
【図９】
2018151895.tif 000011
【図１０】
2018151895.tif 000012
【図１１】
2018151895.tif 000013
【図１２】
2018151895.tif 000014
【図１３】
2018151895.tif 000015
【図１４】
2018151895.tif 000016
【図１５】
2018151895.tif 000017
【図１６】
2018151895.tif 000018
【図１７】
2018151895.tif 000019
【図１８】
2018151895.tif 000020